(57)【要約】【課題】各チャンネルの番組映像の一覧を全て動画で表示させて、ユーザに番組内容を容易に素早く想起させ、チャンネルを選択するまでの時間を短縮させる。【解決手段】デジタル放送信号から視聴対象のチャンネルの番組信号を抽出する視聴用チューナ１と、視聴用チューナ１から出力された番組信号から映像信号および音声信号を復号する視聴用デコーダ２とを備え、視聴対象のチャンネルの番組映像を表示手段に表示させるデジタル放送受信機において、デジタル放送信号が分配され、所定のチャンネルの番組信号を抽出する一覧表示用チューナ３ａ〜３ｄと、一覧表示用チューナ３ａ〜３ｄから出力された番組信号から一覧表示用映像信号を復号する一覧表示用デコーダ４ａ〜４ｄとが視聴可能なチャンネル数と少なくとも同数備えられており、４つの一覧表示用映像信号に基づいて、視聴可能なチャンネルの番組映像の一覧を表示手段に表示させる。【選択図】図１
2009105685.tif 000002
【特許請求の範囲】
【請求項１】
デジタル放送信号から視聴対象のチャンネルの番組信号を抽出する選局手段と、上記選局手段から出力された番組信号から、番組映像情報を含む映像信号および番組音声情報を含む音声信号を復号する復号手段とを備え、上記映像信号および音声信号に基づいて上記視聴対象のチャンネルの番組映像を表示手段に表示させるデジタル放送受信機において、
上記デジタル放送信号が分配され、所定のチャンネルの番組信号を抽出する一覧表示用選局手段と、上記一覧表示用選局手段から出力された番組信号から、番組映像情報を含む一覧表示用映像信号を復号する一覧表示用復号手段とにより構成される組が、上記デジタル放送信号に含まれる視聴可能なチャンネル数と少なくとも同数備えられており、
上記組が備えられる数に応じて出力された一覧表示用映像信号に基づいて、上記デジタル放送信号に含まれる視聴可能なチャンネルの番組映像の一覧を上記表示手段に表示させることを特徴とするデジタル放送受信機。
【請求項２】
上記所定のチャンネルは、上記デジタル放送信号に含まれる視聴可能なチャンネルが、上記一覧表示用選局手段毎に１つずつ割り当てられたチャンネルであることを特徴とする請求項１に記載のデジタル放送受信機。
【請求項３】
上記視聴対象のチャンネルの番組映像と、上記視聴可能なチャンネルの番組映像の一覧とは、上記表示手段の同じ画面に表示されることを特徴とする請求項１に記載のデジタル放送受信機。
【請求項４】
上記選局手段および上記一覧表示用選局手段は、１セグメント放送に対応したチューナであることを特徴とする請求項１に記載のデジタル放送受信機。
【発明の詳細な説明】
【技術分野】
【０００１】
本発明は、デジタル放送を受信するデジタル放送受信機に関するものであり、特に、ワンセグ（１セグメント放送）における視聴可能なチャンネルの番組映像の一覧を表示するデジタル放送受信機に関する。
【背景技術】
【０００２】
近年、地上波放送のデジタル化に伴い多チャンネル化している。しかし、視聴するチャンネルを選択する幅が広がるという利点がある一方で、ユーザにとっては、視聴するチャンネルの選択に時間がかかるという負担が生じている。放送局から発信されるデジタル放送信号（デジタル放送電波）は、所定の異なる周波数がそれぞれ割り当てられた各チャンネル固有の番組信号を含んでいる。デジタル放送を受信可能なデジタル放送受信機は、ユーザの操作によって所望のチャンネルが選択されると、アンテナにて受信したデジタル放送信号に対して所望のチャンネルの周波数を同調させることにより所望のチャンネルの番組信号を取り出し、処理した後、番組を放映している。これにより、ユーザは所望のチャンネルの番組を視聴することができる。
【０００３】
図２に、従来のデジタル放送受信機の構成を示す。図３に、図２に示した従来のデジタル放送受信機における、表示するチャンネルの切替を示すタイミングチャートを示す。なお、図３では、横軸は時間を示し、チャンネル数が４つの場合（ｃｈ１〜ｃｈ４）を示している。
【０００４】
従来のデジタル放送受信機は、図２に示すように、アンテナ（図示せず）にて受信したデジタル放送信号から、周波数を同調させることにより、視聴対象のチャンネルの番組信号を抽出するチューナ１０１と、チューナ１０１から出力された番組信号を映像信号および音声信号に復号し、当該映像信号および音声信号を出力部（図示せず）に出力するデコーダ１０２とを備えている。なお、出力部は、画像を表示するモニタおよび音声を再生するスピーカにより構成されている。
【０００５】
続いて、図２，３を参照しながら、従来のデジタル放送受信機が、チャンネルｃｈ１〜チャンネルｃｈ４の番組を巡回的に順次表示する場合の処理について説明する。
【０００６】
まず、ユーザが、リモコンまたはデジタル放送受信機本体の選局機構（図示せず）によりチャンネルｃｈ１の表示を指示することによって、リモコンまたはデジタル放送受信機本体の選局機構は、図３に示すように、チャンネルｃｈ１を表示するための指示信号である選局データ１１１をチューナ１０１に送信する。
【０００７】
チューナ１０１は、選局データ１１１に従って、チャンネルｃｈ１の周波数に合わせて、チャンネルｃｈ１の番組信号の抽出を開始する。そして、チューナ１０１は、抽出したチャンネルｃｈ１の番組信号をデコーダ１０２に出力する。デコーダ１０２は、チャンネルｃｈ１の番組信号を、映像信号および音声信号に復号する。このとき、復号は、設定された好適な方法・方式により行われる。そして、デコーダ１０２は、復号した映像信号および音声信号を出力部に出力する。
【０００８】
これにより、モニタに映像が表示されるとともに、スピーカから音声が再生される。すなわち、ユーザが、チャンネルｃｈ１の番組を視聴することができる。なお、選局データ１１１がチューナ１０１に送信されてから、モニタに画像が表示される状態（画像表示状態１１３）となるまでに、モニタは非表示状態１１２となる。
【０００９】
続いて、チャンネルｃｈ１の画像表示状態１１３において、ユーザが、リモコンまたはデジタル放送受信機本体の選局機構によりチャンネルｃｈ２の表示を指示することによって、リモコンまたはデジタル放送受信機本体の選局機構が、チャンネルｃｈ２を表示するための指示信号である選局データ１１４をチューナ１０１に送信する。
【００１０】
チューナ１０１は、選局データ１１４を受信すると、チャンネルｃｈ１の周波数からチャンネルｃｈ２の周波数に切り替えて、チャンネルｃｈ２の番組信号の抽出を開始する。これにより、チャンネルｃｈ１の番組信号の取得が停止され、モニタにおけるチャンネルｃｈ１の画像表示状態１１３が終了する。チューナ１０１は、抽出したチャンネルｃｈ２の番組信号をデコーダ１０２に出力する。デコーダ１０２は、チャンネルｃｈ２の番組信号を、映像信号および音声信号に復号する。そして、デコーダ１０２は、復号した映像信号および音声信号を出力部に出力する。
【００１１】
これにより、モニタに映像が表示されるとともに、スピーカから音声が再生され、ユーザが、チャンネルｃｈ２の番組を視聴することができる。なお、選局データ１１４がチューナ１０１に送信されてから、モニタに画像が表示される状態（画像表示状態１１６）となるまでに、モニタは非表示状態１１５となる。
【００１２】
続いて、チャンネルｃｈ３，４，１，…を表示する場合もチャンネルｃｈ１，２を表示した場合と同様に処理が行われ、ユーザは、チャンネルｃｈ３，４，１，…の番組を視聴することができる。
【００１３】
このように、従来のデジタル放送受信機では、選局データ１１１，１１４，１１７，１２０および１２３を受信したチューナ１０１が、各チャンネルを１チャンネル毎に選局し、デコーダ１０２が映像信号および音声信号に復号することによって、モニタを各チャンネルｃｈ１〜ｃｈ４の画像表示状態１１３，１１６，１１９，１２２および１２５にさせていた。
【００１４】
しかし、チャンネルが切り替わると、それぞれの画像表示状態の間、モニタに非表示状態１１２，１１５，１１８，１２１および１２４が発生する。このため、ユーザは、視聴するチャンネルを選択する際、チャンネルを切り替える度に、非表示状態となってから表示される映像を確認しながら、視聴するチャンネルを選択しなければならない。
【００１５】
つまりは、従来のデジタル放送受信機では、チューナ１０１およびデコーダ１０２で信号処理が行われる際、デジタルの信号処理のためにアナログの信号処理と比べてタイムラグが数秒発生する。そのため、上記のような従来のデジタル放送受信機では、選局から画像表示状態となるまでに時間がかかり、モニタの非表示状態が多くなる。よって、ユーザが１チャンネル毎に確認すると、全てのチャンネルを確認するまでには多くの時間を要するため、近年の多チャンネル化においては、ユーザが視聴するチャンネルを決定するまでにかかる時間が無視できなくなっていた。
【００１６】
そこで、ユーザのチャンネル選択にかかる負担を補助するために、様々な技術が提案されている。
【００１７】
例えば、特許文献１には、デジタル放送受信装置において、ユーザが選局可能なチャンネルの一覧であるチャンネルリストを短時間で作成する技術が記載されている。これにより、チャンネルリストをユーザに提示して、ユーザが選局できるようになるまでの時間を短縮することを可能にしている。
【００１８】
しかし、上記チャンネルリストは、文字により表示されるので、各チャンネルでどのような番組が放送されているのかが直感的にわかりにくい。これに対して、各チャンネルの番組の一覧を、画像により表示する技術も提案されている（例えば、特許文献２参照）。
【００１９】
図４に、特許文献２に記載のチャンネル選択装置の構成を示す。
【００２０】
特許文献２には、テレビジョン受像機に備えられるチャンネル選択装置が記載されている。チャンネル選択装置は、図４に示すように、複数チャンネル分のテレビ放送信号の中から、予め出力対象として設定されているチャンネルのテレビ番組信号を抽出するデジタルチューナ２０１と、デジタルチューナ２０１から出力されたテレビ番組信号から映像信号および音声信号を抽出し、当該映像信号および音声信号を出力部（図示せず）に出力するデジタル受信回路２０２と、デジタルチューナ２０１における処理と同時に、巡回的に複数チャンネルの中から順次選択されたチャンネルのテレビ番組信号を順次抽出するデジタルチューナ２０３と、デジタルチューナ２０３から出力されたテレビ番組信号から映像信号を抽出するデジタル受信回路２０４と、デジタル受信回路２０４から出力された映像信号を静止画として格納する画像格納部２０５と、を備えている。
【００２１】
上記チャンネル選択装置は、デジタル受信回路２０２から出力する映像信号および音声信号により、出力対象のチャンネルのテレビ番組信号に基づく番組映像を表示させると同時に、画像格納部２０５から出力する静止画としての画像信号により、各チャンネルの番組映像の一覧を最新のものに更新しつつ表示させる。図５に、画面２１０の表示状態を示す。画面２１０は、出力対象のチャンネルの番組映像を表示する部分画面Ｘと、各チャンネルの番組映像の一覧を表示する部分画面Ｙとに区分されている。
【００２２】
これにより、出力対象のチャンネルの番組映像を部分画面Ｘにて動画で表示すると共に、各チャンネルの番組映像の一覧を部分画面Ｙにて順次更新しつつ静止画で表示することが可能となっている。それゆえ、出力対象のチャンネルの番組映像を動画で通常通りに視聴しながら、新たな出力対象のチャンネルの選択を行うことが可能となっている。
【特許文献１】特開２００６−１５７８１８号公報（平成１８年６月１５日公開）
【特許文献２】特開２００６−１４０５９３号公報（平成１８年６月１日公開）
【発明の開示】
【発明が解決しようとする課題】
【００２３】
しかしながら、上述した特許文献２に記載のチャンネル選択装置では、各チャンネルの番組映像の一覧を順次更新しつつ表示させるために、デジタルチューナ２０３が順次選択されたチャンネルのテレビ番組信号を抽出する毎に、画像格納部２０５は、デジタル受信回路２０４から出力された映像信号を静止画として格納している。このため、チャンネル数が多くなればなるほど、さらなるメモリ容量を確保しなければならないという問題点を有している。
【００２４】
また、出力対象のチャンネルの番組映像は動画で表示されるが、部分画面Ｙにて一覧で表示される他の番組映像は、更新される静止画によって表示される。ところが、例えば、タイミングが悪くＣＭ放送の画像が抽出され、一覧表示用の静止画として格納されてしまった場合、その静止画が表示されても、ユーザは番組の内容を想起することは困難である。このため、デジタルチューナ２０３が抽出したテレビ番組信号に基づいて、ＣＭ放送中であるか否かを判別する判別回路を設け、ＣＭ放送中であると判別したチャンネルに対しては優先的にテレビ番組信号の再抽出を行っている。
【００２５】
それゆえ、全てのチャンネルの静止画が一定間隔で更新されない。チャンネル数が多くなればなるほど、チャンネル毎に更新される期間にズレが生じて、静止画が更新される期間が長くなってしまい、どのような番組が放送されているのかをユーザが想起するまでに時間がかかるという問題点を有している。
【００２６】
なお、特許文献２に記載のチャンネル選択装置は、デジタルチューナ２０３に１つのチャンネルのテレビ番組信号を抽出させるとともに、デジタル受信回路２０４に音声信号も抽出させることによって、デジタル受信回路２０４から映像信号および音声信号を出力部に直接出力することにより、２分割した画面においてそれぞれに動画を表示させる２画面表示モードの機能も備えられている。
【００２７】
しかし、２画面表示モードの場合、デジタルチューナ２０３およびデジタル受信回路２０４は、一覧表示のための処理を行わない。このため、図５に示した画面２１０の表示状態に切り替えても、各チャンネルの番組映像の一覧は最新では表示されないばかりか、最新に更新するための静止画の取得を改めて開始するので、チャンネル数が多くなればなるほど、全てのチャンネルの番組映像が最新に更新されるまでには時間がかかってしまう。
【００２８】
従って、ユーザに番組内容を容易に素早く想起させて、チャンネルを選択するまでの時間を短くするために、静止画を順次格納する処理を省略して、各チャンネルの番組映像の一覧を静止画を順次更新しながら表示させるのではなく、全て動画で表示させることが望まれている。
【００２９】
本発明は、上記従来の問題点に鑑みなされたものであって、その目的は、各チャンネルの番組映像の一覧を全て動画で表示させて、ユーザに番組内容を容易に素早く想起させ、チャンネルを選択するまでの時間を短縮させることができるデジタル放送受信機を提供することにある。
【課題を解決するための手段】
【００３０】
本発明のデジタル放送受信機は、上記課題を解決するために、デジタル放送信号から視聴対象のチャンネルの番組信号を抽出する選局手段と、上記選局手段から出力された番組信号から、番組映像情報を含む映像信号および番組音声情報を含む音声信号を復号する復号手段とを備え、上記映像信号および音声信号に基づいて上記視聴対象のチャンネルの番組映像を表示手段に表示させるデジタル放送受信機において、上記デジタル放送信号が分配され、所定のチャンネルの番組信号を抽出する一覧表示用選局手段と、上記一覧表示用選局手段から出力された番組信号から、番組映像情報を含む一覧表示用映像信号を復号する一覧表示用復号手段とにより構成される組が、上記デジタル放送信号に含まれる視聴可能なチャンネル数と少なくとも同数備えられており、上記組が備えられる数に応じて出力された一覧表示用映像信号に基づいて、上記デジタル放送信号に含まれる視聴可能なチャンネルの番組映像の一覧を上記表示手段に表示させることを特徴としている。
【００３１】
上記の構成によれば、視聴対象のチャンネルの番組映像を表示させるための選局手段および復号手段とは別に、デジタル放送信号に含まれる視聴可能なチャンネルの番組映像の一覧を表示させるための一覧表示用選局手段および一覧表示用復号手段が、視聴可能なチャンネル数と少なくとも同数備えられている。これにより、上記組が備えられる数に応じて出力された一覧表示用映像信号に基づいて、上記視聴可能なチャンネルの番組映像の一覧を表示させる際、視聴可能なチャンネルの番組映像が不足することなく、また、各チャンネルの映像信号は継続して抽出されている信号であるので、各チャンネルの番組映像は動画で表示される。
【００３２】
よって、各チャンネルの番組映像の一覧を全て動画で表示させて、ユーザに番組内容を容易に素早く想起させ、各チャンネルのうち何れのチャンネルを視聴するか選択するまでの時間を短縮させることが可能となる。
【００３３】
また、必ず、デジタル放送信号に含まれる視聴可能なチャンネルの全てを一覧に表示させるために、本発明のデジタル放送受信機は、上記所定のチャンネルは、上記デジタル放送信号に含まれる視聴可能なチャンネルが、上記一覧表示用選局手段毎に１つずつ割り当てられたチャンネルであることが望ましい。
【００３４】
また、本発明のデジタル放送受信機は、上記視聴対象のチャンネルの番組映像と、上記視聴可能なチャンネルの番組映像の一覧とは、上記表示手段の同じ画面に表示されることが好ましい。
【００３５】
上記の構成によれば、ユーザに、希望のチャンネルの番組映像を視聴させながら、視聴可能なチャンネルの番組映像の一覧を提示することが可能となる。これにより、例えば、ユーザは、視聴可能なチャンネルの番組映像の一覧を確認して選択しながら、希望のチャンネルの番組映像を切り替えて表示させることが可能となる。
【００３６】
また、本発明のデジタル放送受信機は、上記選局手段および上記一覧表示用選局手段は、１セグメント放送に対応したチューナであることが好ましい。
【００３７】
上記の構成によれば、近年、１セグメント放送のサービスを付加した、デジタル放送を視聴しながら移動可能な携帯型や車両などの移動体が普及しつつある。それゆえ、上記の構成によれば、本発明のデジタル放送受信機は、上記移動体への搭載に好適なものとなる。また、一覧表示においては高画質である必要はないので、上記の構成であれば、実装スペースやコストなどの点に関して特に効果が大きい。
【発明の効果】
【００３８】
以上のように、本発明のデジタル放送受信機は、デジタル放送信号が分配され、所定のチャンネルの番組信号を抽出する一覧表示用選局手段と、上記一覧表示用選局手段から出力された番組信号から、番組映像情報を含む一覧表示用映像信号を復号する一覧表示用復号手段とにより構成される組が、上記デジタル放送信号に含まれる視聴可能なチャンネル数と少なくとも同数備えられており、上記組が備えられる数に応じて出力された一覧表示用映像信号に基づいて、上記デジタル放送信号に含まれる視聴可能なチャンネルの番組映像の一覧を上記表示手段に表示させる構成である。
【００３９】
それゆえ、組が備えられる数に応じて出力された一覧表示用映像信号に基づいて、視聴可能なチャンネルの番組映像の一覧を表示させる際、視聴可能なチャンネルの番組映像が不足することなく、また、各チャンネルの映像信号は継続して抽出されている信号であるので、各チャンネルの番組映像は動画で表示される。
【００４０】
従って、各チャンネルの番組映像の一覧を全て動画で表示させて、ユーザに番組内容を容易に素早く想起させ、各チャンネルのうち何れのチャンネルを視聴するか選択するまでの時間を短縮させることができるデジタル放送受信機を提供するという効果を奏する。
【発明を実施するための最良の形態】
【００４１】
本発明の一実施形態について図面に基づいて説明すれば、以下の通りである。
【００４２】
図１は、本実施の形態のデジタル放送受信機の一構成例を示すブロック図である。
【００４３】
本実施の形態のデジタル放送受信機（デジタル放送受像機）は、デジタル放送を視聴しながら移動可能な携帯型や車両などの移動体に搭載されるものであり、アンテナ（図示せず）にて受信されたデジタル放送信号（以下、単に放送信号と記載する）を入力し、抽出、復号処理を順に施して、所望のチャンネルの番組の映像信号を液晶ディスプレイやモニタなどの内蔵または外部の表示部（図示せず）に出力するとともに、該番組の音声信号をスピーカなどの内蔵または外部の音声出力部（図示せず）に出力する。また、本実施の形態のデジタル放送受信機は、上記デジタル放送として、地上波デジタル放送の携帯向けサービス、所謂、ワンセグと呼ばれるデジタル放送を受信する。
【００４４】
なお、本実施の形態のデジタル放送受信機が搭載される装置および放送形態は上述したものに限るわけではなく、例えば、家庭内に固定的に設置して、地上波デジタル放送を視聴する据置型の機器に搭載されてもよいし、ワンセグではない地上波デジタル放送であってもよい。本実施の形態のデジタル放送受信機として具体的には、チューナ内蔵携帯電話や、テレビに接続して使用するセットトップボックスなどがある。
【００４５】
本実施の形態のデジタル放送受信機は、図１に示すように、視聴用チューナ１（選局手段）、視聴用デコーダ２（復号手段）、一覧表示用チューナ３ａ〜３ｄ（一覧表示用選局手段）、および一覧表示用デコーダ４ａ〜４ｄ（一覧表示用復号手段）を備えている。なお、デジタル放送受信機における図示しない残りの部分、例えば制御部などは、従来の一般的な構成で実現可能である。また、図示しないアンテナ、表示部、および音声出力部は、内蔵型でも外付型でもどちらでもよい。
【００４６】
視聴用チューナ１は、アンテナにて受信した放送信号から、設定されている選択チャンネルの番組信号を抽出した後、抽出した番組信号を視聴用デコーダ２に送信する。また、視聴用チューナ１は、ワンセグに対応するものとして、具体的には、地上デジタルワンセグ受信チューナ（ワンセグチューナ）が使用される。
【００４７】
上記選択チャンネルとは、ユーザが、リモコンまたはデジタル放送受信機本体の選局機構（制御部）により、視聴するために選択したチャンネルである。放送局によりワンセグの形態で発信された放送信号は、番組映像情報を含む映像信号と、番組音声情報を含む音声信号とを含む１チャンネル分の番組信号（すなわち、テレビ番組全体の情報を含む信号）を、複数含んでいる。ユーザが視聴したいチャンネルを指示すると、リモコンまたはデジタル放送受信機本体の選局機構は、そのチャンネルを表示するための指示信号である選局データを、視聴用チューナ１に送信する。これにより、視聴用チューナ１において抽出される選択チャンネルが設定される。各チャンネルの番組信号には、異なる周波数がそれぞれ設定されているので、視聴用チューナ１は、送られてきた選局データを応じて、抽出するチャンネルの周波数に同調させることにより、選択チャンネルの番組信号を抽出することができる。
【００４８】
視聴用デコーダ２は、視聴用チューナ１から送出された番組信号を入力し、映像信号および音声信号を復号した後、映像信号を表示部に出力するとともに、音声信号を音声出力部に出力する。なお、視聴用デコーダ２から表示部に出力された映像信号は、詳細に後述するように、表示部の画面全体の表示に用いられるか、または、一部分の表示に用いられる。
【００４９】
一覧表示用チューナ３ａ〜３ｄおよび一覧表示用デコーダ４ａ〜４ｄは、各１つずつの計２つを１組として、放送信号に含まれる視聴可能なチャンネル数と同数の組が備えられている。すなわち、本実施の形態のデジタル放送受信機では、４つのチャンネルがある放送信号を受信するように構成されている。一覧表示用チューナ３ａ〜３ｄおよび一覧表示用デコーダ４ａ〜４ｄは、１組毎に１つのチャンネルが割り当てられ、その割り当てられたチャンネルの番組信号を抽出、復号するように設定されている。
【００５０】
一覧表示用チューナ３ａ〜３ｄは、アンテナから送出された放送信号から、割り当てられているチャンネルの番組信号を抽出した後、抽出した番組信号を一覧表示用デコーダ４ａ〜４ｄにそれぞれ送信する。つまりは、一覧表示用チューナ３ａ〜３ｄは、視聴用チューナ１と並列に配置されており、アンテナから送出された放送信号は、視聴用チューナ１および一覧表示用チューナ３ａ〜３ｄに分配されている。また、一覧表示用チューナ３ａ〜３ｄは、ワンセグに対応するものとして、具体的にはワンセグチューナが使用される。
【００５１】
一覧表示用デコーダ４ａ〜４ｄは、一覧表示用チューナ３ａ〜３ｄから出力された番組信号を入力し、映像信号に復号した後、該映像信号を表示部に出力する。なお、一覧表示用デコーダ４ａ〜４ｄから表示部に出力された映像信号は、詳細に後述するように、視聴可能な各チャンネルの番組映像を同時に同画面に表示する一覧表示に用いられる。
【００５２】
次に、図１を参照しながら、上記構成において、本実施の形態のデジタル放送受信機が、受信した放送信号を処理する際の動作を詳細に説明する。
【００５３】
ユーザが、本実施の形態のデジタル放送受信機を使用して放送信号を受信する地点（場所）では、ユーザが視聴可能な４つのチャンネルｃｈ１〜ｃｈ４の番組信号を含む放送信号が、放送局からワンセグの形態で発信されているとする。一覧表示用チューナ３ａ〜３ｄは、４つのチャンネルｃｈ１〜ｃｈ４をそれぞれ抽出するように予め設定されている。
【００５４】
ユーザが、リモコンまたはデジタル放送受信機本体の選局機構により、視聴可能なチャンネルの番組映像の一覧表示を指示すると、リモコンまたはデジタル放送受信機本体の選局機構は、一覧表示用チューナ３ａ〜３ｄに、一覧表示するための指示信号である表示指示データを送信する。
【００５５】
これを受けた一覧表示用チューナ３ａ〜３ｄは、放送信号から、それぞれ設定されたチャンネルの番組信号の抽出を開始する。一覧表示用チューナ３ａ〜３ｄは、各チャンネルｃｈ１〜ｃｈ４の番組信号をそれぞれ抽出し、抽出した番組信号を、それぞれの後段に設けられた一覧表示用デコーダ４ａ〜４ｄにそれぞれ出力する。そして、一覧表示用デコーダ４ａ〜４ｄは、入力した番組信号から映像信号を復号した後、表示部に出力する。すなわち、４つの異なるチャンネルの映像信号が表示部に出力される。なお、復号は、設定された好適な方法・方式により行われる。
【００５６】
表示部は、入力する４つの異なるチャンネルの映像信号に対して合成処理などを行って、同じ画面に一覧表示するための画像信号を生成し、この画像信号を出力することによって、画面にチャンネルｃｈ１〜ｃｈ４の番組映像を一覧表示する。この一覧表示は、例えば、画面が４分割された各分割画面に各チャンネルの番組映像が表示されるようになっている。また、上記入力する４つの映像信号は、それぞれの一覧表示用チューナ３ａ〜３ｄおよび一覧表示用デコーダ４ａ〜４ｄにて処理されている信号であるので、一覧表示では４つのチャンネルｃｈ１〜ｃｈ４の番組映像はそれぞれ動画で表示される。
【００５７】
これにより、本実施の形態のデジタル放送受信機によれば、各チャンネルｃｈ１〜ｃｈ４の番組映像の一覧を全て動画で表示させるので、ユーザは画面の一覧表示を見れば、視覚的にもわかりやすく、番組内容を容易に素早く想起することが可能となり、各チャンネルｃｈ１〜ｃｈ４のうち何れのチャンネルを視聴するか選択するまでの時間を短縮することが可能となる。
【００５８】
ところで、複数の映像信号を受けた表示部は、それらの映像信号に基づいて画面に一覧を表示するわけであるが、ユーザが一覧表示を指示してから、実際に画面に一覧表示されるまでは、タイムラグが数秒発生している。これは、デジタル信号処理に起因している。
【００５９】
つまりは、デジタル放送受信機では受信処理の際、デジタルの信号処理のためにアナログの信号処理と比べてタイムラグが数秒発生する。この現象は、背景の技術にて上述したような従来の方法においても発生していた。
【００６０】
これに対し、本実施の形態のデジタル放送受信機は、通常時において、視聴用チューナ１および視聴用デコーダ２の処理により番組を視聴している最中に、一方で、一覧表示用チューナ３ａ〜３ｄおよび一覧表示用デコーダ４ａ〜４ｄの処理により一覧表示用の映像信号を取得しておくことができる。これにより、画面を一覧表示に切り替えた際に、画像非表示状態を発生させることなく、一覧を表示させることが可能となっている。
【００６１】
また、ユーザは、一覧が表示されている画面から、視聴対象の１チャンネルを選局することができる。つまりは、ユーザが、リモコンまたはデジタル放送受信機本体の選局機構により、一覧表示の画面において視聴対象のチャンネルを１つ選択すると、リモコンまたはデジタル放送受信機本体の選局機構が、視聴用チューナ１に、そのチャンネルを表示するための指示信号である選局データを送信する。
【００６２】
この選局データを受けた視聴用チューナ１は、そのチャンネルの番組信号を抽出するように、抽出するチャンネルの周波数に変更させる。そして、視聴用チューナ１は、放送信号から、選択されたチャンネルの番組信号の抽出を開始する。視聴用チューナ１は、抽出した番組信号を視聴用デコーダ２に出力し、視聴用デコーダ２は、番組信号から映像信号および音声信号を復号する。そして、視聴用デコーダ２は、映像信号を表示部に出力するとともに、音声信号を音声出力部に出力する。
【００６３】
視聴用デコーダ２からの映像信号を受け取った表示部は、一覧表示の画面から切り替えて、例えば、先に表示させていた一覧表示の表示サイズを全体的に縮小した表示と、視聴用デコーダ２から送信されてきた映像信号に基づく視聴対象の番組映像の表示とを、同じ画面で同時に表示する。または、視聴用デコーダ２から送信されてきた映像信号に基づく番組映像のみを画面全体に表示する。また、どちらの表示状態においても、視聴対象の番組映像に沿った音声が再生される。
【００６４】
また、一覧表示と視聴対象の番組映像の表示とを同じ画面で同時に表示している場合であっても、ユーザは一覧表示を確認して選択しながら、一覧表示から視聴対象の番組映像を変更することができる。ユーザが視聴するチャンネルの変更を指示すると、視聴用チューナ１に選局データが送信され、上述した処理と同様の処理が行われ、視聴対象のチャンネルに切り替えられ表示される。
【００６５】
なお、一覧表示においては高画質である必要はないので、一覧表示用チューナ３ａ〜３ｄとしてどのようなチューナを採用するかは、実装スペースやコストなどを考慮して決めればよい。本実施の形態のデジタル放送受信装置では、視聴用チューナ１および一覧表示用チューナ３ａ〜３ｄとして、ワンセグチューナに限るわけではないが、一覧表示用チューナ３ａ〜３ｄとしてワンセグチューナを用いる場合は、実装スペースやコストなどが比較的抑制されているので、特に効果が大きい。
【００６６】
また、上述の説明では、地上波デジタル放送を受信する場合について説明したが、これに限るものではなく、ＢＳデジタル放送を受信することも可能である。ＢＳデジタル放送を受信する場合は、視聴用チューナ１および一覧表示用チューナ３ａ〜３ｄとして、ＢＳデジタル放送対応のＢＳデジタルチューナを用いれば、本実施形態と略同様の効果が得られる。
【００６７】
また、上述の説明では、放送信号に含まれるチャンネル数が４つで、デジタル放送受信機に同数の４つの一覧表示用チューナ３ａ〜３ｄを備える場合について説明したが、これに限るものではない。
【００６８】
また、一覧表示用チューナは、チャンネル数に対して少なくとも同数備えることが望ましい。これにより、一覧表示の際、視聴可能なチャンネルの番組映像が不足することを防止することが可能となる。また、例えば、一覧表示用チューナを、チャンネル数以上備えることにより、デジタル放送受信機を使用して放送信号を受信する地点（場所）が移動して、放送信号に含まれるチャンネル数が増加した場合であっても、一覧表示を行うことが可能となる。この場合、例えば制御部が、一覧表示用チューナに割り当てるチャンネルを再設定すればよい。
【００６９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７０】
本発明は、デジタル放送、特にワンセグを受信するデジタル放送受信機に関する分野に好適に用いることができるだけでなく、デジタル放送受信機の製造に関する分野、例えば、部品の製造工程に関する分野に好適に用いることができ、さらには、デジタル放送の受信方法に関する分野にも広く用いることができる。
【図面の簡単な説明】
【００７１】
【図１】本発明におけるデジタル放送受信機の実施の一形態を示すブロック図である。
【図２】従来のデジタル放送受信機の構成を示すブロック図である。
【図３】上記従来のデジタル放送受信機における、表示するチャンネルの切替を示すタイミングチャートである。
【図４】従来のデジタル放送受信機に備えられるチャンネル選択装置の構成を示すブロック図である。
【図５】上記チャンネル選択装置による表示される画面を示す図である。
【符号の説明】
【００７２】
１    視聴用チューナ（選局手段）
２    視聴用デコーダ（復号手段）
３ａ〜３ｄ    一覧表示用チューナ（一覧表示用選局手段）
４ａ〜４ｄ    一覧表示用デコーダ（一覧表示用復号手段）
【図１】
2009105685.tif 000003
【図２】
2009105685.tif 000004
【図３】
2009105685.tif 000005
【図４】
2009105685.tif 000006
【図５】
2009105685.tif 000007